(57)【要約】【課題】ユーザの目的の達成の支援を適切にできる技術を実現すること。【解決手段】時間感情制御部６１は、ユーザに関するコンテクスト情報をコンテクスト情報記憶部６３から取得する。時間感情制御部６１は、ユーザが所定の目的の達成に向けた行動を取ろうとしている又は取っている時間帯において、その行動に関する情報をユーザへ提示するに際し、コンテクスト情報に応じて提示形態を時間的に変化させることで、ユーザの感情を制御する。メッセージ送信制御部６２は、時間感情制御部６１による時間制御の結果に基づいて、メッセージを、所定の送信タイミングで送信する。即ち、メッセージの内容と、送信タイミングとが、時間感情制御部６１の制御により、コンテクスト情報に応じて可変する。【選択図】図３
2015005207.tif 000002
【特許請求の範囲】
【請求項１】
ユーザが所定の目的を達成することを支援する情報処理装置であって、
前記ユーザに関する内的状態又は外的状態のうち少なくとも１以上を示す情報を、コンテクスト情報として取得し、前記ユーザが前記所定の目的の達成に向けた行動を取ろうとしている又は取っている時間帯において、前記行動に関する情報を前記ユーザへ提示するに際し、前記コンテクスト情報に応じて提示形態を時間的に変化させることで、前記ユーザの感情を制御する時間感情制御手段、
を備える情報処理装置。
【請求項２】
前記時間感情制御手段は、
前記コンテクスト情報を取得するコンテクスト取得手段と、
前記コンテクスト取得手段により取得された前記コンテクスト情報に基づいて、前記ユーザが前記所定の目的の達成に向けた行動を取ろうとしている又は取っている時間帯における、前記ユーザの感情の時間的な変化を予測する感情予測手段と、
前記感情予測手段の予測の結果に基づいて、前記行動に関する情報を、前記ユーザが所持する装置に対して送信するタイミングを可変設定する送信タイミング設定手段と、
を有する請求項１に記載の情報処理装置。
【請求項３】
前記送信タイミング設定手段は、前記行動に関する情報についての送信回数と送信間隔のうち少なくとも一方を設定する、
請求項２に記載の情報処理装置。
【請求項４】
前記コンテクスト取得手段は、ユーザが前記ユーザの装置に入力したユーザ自身の性格及び感情のうち少なくとも一方を、前記コンテクスト情報の一部として取得する、
請求項２又は３に記載の情報処理装置。
【請求項５】
前記時間感情制御手段は、
前記行動に関する情報として、前記感情予測手段の予測の結果に応じて内容が変化するメッセージを生成するメッセージ作成手段
をさらに有する請求項２乃至４のうちの何れか１項に記載の情報処理装置。
【請求項６】
ユーザが所定の目的を達成することを支援する装置が実行する情報処理方法であって、
前記ユーザに関する内的状態又は外的状態のうち少なくとも１以上を示す情報を、コンテクスト情報として取得し、前記ユーザが前記所定の目的の達成に向けた行動を取ろうとしている又は取っている時間帯において、前記行動に関する情報を前記ユーザへ提示するに際し、前記コンテクスト情報に応じて提示形態を時間的に変化させることで、前記ユーザの感情を制御する
ステップを含む情報処理方法。
【請求項７】
ユーザが所定の目的を達成することを支援する制御を実行するコンピュータを、
前記ユーザに関する内的状態又は外的状態のうち少なくとも１以上を示す情報を、コンテクスト情報として取得し、前記ユーザが前記所定の目的の達成に向けた行動を取ろうとしている又は取っている時間帯において、前記行動に関する情報を前記ユーザへ提示するに際し、前記コンテクスト情報に応じて提示形態を時間的に変化させることで、前記ユーザの感情を制御する時間感情制御手段
として機能させるプログラム。
【発明の詳細な説明】
【技術分野】
【０００１】
本発明は、情報処理装置、情報処理方法及びプログラムに関する。
【背景技術】
【０００２】
従来から、ユーザが所定の目的を達成することを支援するために、情報処理装置を利用して、当該ユーザにアドバイスをする技術が知られている（例えば、特許文献１参照）。
【先行技術文献】
【特許文献】
【０００３】
【特許文献１】国際公開ＷＯ２００７／０８８７９１号公報
【発明の概要】
【発明が解決しようとする課題】
【０００４】
しかしながら、特許文献１を含め従来の技術では、ユーザの目的の達成の支援としては未だ不十分であり、ユーザの目的の達成の支援を適切にできる技術が求められている。
【０００５】
本発明は、このような状況に鑑みてなされたものであり、ユーザの目的の達成の支援を適切にすることを目的とする。
【課題を解決するための手段】
【０００６】
上記目的を達成するため、本発明の一態様の情報処理装置は、
ユーザが所定の目的を達成することを支援する情報処理装置であって、
前記ユーザに関する内的状態又は外的状態のうち少なくとも１以上を示す情報を、コンテクスト情報として取得し、前記ユーザが前記所定の目的の達成に向けた行動を取ろうとしている又は取っている時間帯において、前記行動に関する情報を前記ユーザへ提示するに際し、前記コンテクスト情報に応じて提示形態を時間的に変化させることで、前記ユーザの感情を制御する時間感情制御手段、
を備えることを特徴とする。
【０００７】
前記時間感情制御手段は、
前記コンテクスト情報を取得するコンテクスト取得手段と、
前記コンテクスト取得手段により取得された前記コンテクスト情報に基づいて、前記ユーザが前記所定の目的の達成に向けた行動を取ろうとしている又は取っている時間帯における、前記ユーザの感情の時間的な変化を予測する感情予測手段と、
前記感情予測手段の予測の結果に基づいて、前記行動に関する情報を、前記ユーザが所持する装置に対して送信するタイミングを可変設定する送信タイミング設定手段と、
を有することができる。
【０００８】
前記送信タイミング設定手段は、前記行動に関する情報についての送信回数と送信間隔のうち少なくとも一方を設定する、
ことができる。
【０００９】
前記コンテクスト取得手段は、ユーザが前記ユーザの装置に入力したユーザ自身の性格及び感情のうち少なくとも一方を、前記コンテクスト情報の一部として取得する、
ことができる。
【００１０】
前記時間感情制御手段は、
前記行動に関する情報として、前記感情予測手段の予測の結果に応じて内容が変化するメッセージを生成するメッセージ作成手段
をさらに有することができる。
【００１１】
また、上記目的を達成するため、本発明の一態様の情報処理方法は、
ユーザが所定の目的を達成することを支援する装置が実行する情報処理方法であって、
前記ユーザに関する内的状態又は外的状態のうち少なくとも１以上を示す情報を、コンテクスト情報として取得し、前記ユーザが前記所定の目的の達成に向けた行動を取ろうとしている又は取っている時間帯において、前記行動に関する情報を前記ユーザへ提示するに際し、前記コンテクスト情報に応じて提示形態を時間的に変化させることで、前記ユーザの感情を制御する、
ことを特徴とする。
【００１２】
また、上記目的を達成するため、本発明の一態様のプログラムは、
ユーザが所定の目的を達成することを支援する制御を実行するコンピュータを、
前記ユーザに関する内的状態又は外的状態のうち少なくとも１以上を示す情報を、コンテクスト情報として取得し、前記ユーザが前記所定の目的の達成に向けた行動を取ろうとしている又は取っている時間帯において、前記行動に関する情報を前記ユーザへ提示するに際し、前記コンテクスト情報に応じて提示形態を時間的に変化させることで、前記ユーザの感情を制御する時間感情制御手段
として機能させることを特徴とする。
【発明の効果】
【００１３】
本発明によれば、ユーザの目的の達成の支援を適切にできる。
【図面の簡単な説明】
【００１４】
【図１】本発明の情報処理システムの一実施形態に係る目標達成支援システムの構成を示す図である。
【図２】図１の情報処理システムのうち、本発明が適用される情報処理装置に係る一実施形態としての目標達成支援装置のハードウェアの構成を示すブロック図である。
【図３】図２の目標達成支援装置の機能的構成を示す機能ブロック図である。
【図４】図３の機能的構成を有する目標達成支援装置が実行する、「タイムコントロール」の処理の概要を説明する図である。
【図５】「タイムコントロール」の効果の概要を説明する図である。
【図６】「タイムコントロール」がなされた結果の一例を示す図である。
【図７】ユーザがコンテクスト情報を入力するための、ユーザ端末の画面の一例を示す図である。
【図８】内的状態を入力するための画面の一例を示す図である。
【図９】外的状態として選択可能な項目を示す図である。
【図１０】図９の外的状態の一部についての、さらに細分化された外的状態として選択可能な項目を示す図である。
【図１１】「タイムコントロール」により決定される、メッセージの方針及び送信タイミングの具体例を示す図である。
【図１２】送信タイミングのタイムスケジュールの具体例を示す図である。
【図１３】内的状態を入力するための画面の一例であって、図８とは異なる例を示す図である。
【図１４】、小学生の自宅学習に対して「タイムコントロール」がなされた結果の一例であって、図１３おいてチェックされた内的状態を用いた「タイムコントロール」の結果を示す図である。
【発明を実施するための形態】
【００１５】
以下、図面を参照しながら、本発明の実施形態について説明する。
【００１６】
図１は、本発明の情報処理システムの一実施形態に係る目標達成支援システムの構成を示す図である。
目標達成支援システムにおいては、目標達成支援装置１１と、Ｎ台（Ｎは１以上の任意の整数値）のユーザ端末１２−１乃至１２−Ｎの各々とが、インターネットを含むネットワーク１３を介して相互に接続されている。
【００１７】
目標達成支援装置１１は、ユーザの目標の達成を支援するサービスを提供するための、いわゆるサーバとして構成される。
ユーザ端末１２−１乃至１２−Ｎの各々は、相異なる所定の目標の達成を夫々所望するＮ人（Ｎは１以上の任意の整数値）のユーザの各々により所持され、スマートフォン、携帯電話機、その他各種の情報処理端末として構成される。
なお、以下、ユーザ端末１２―１乃至１２―Ｎを個々に区別する必要がない場合、これらをまとめて、「ユーザ端末１２」と単に呼ぶ。
【００１８】
図２は、図１の情報処理システムのうち、本発明が適用される情報処理装置に係る一実施形態としての目標達成支援装置１１のハードウェアの構成を示すブロック図である。
【００１９】
目標達成支援装置１１は、ＣＰＵ（Ｃｅｎｔｒａｌ  Ｐｒｏｃｅｓｓｉｎｇ  Ｕｎｉｔ）３１と、ＲＯＭ（Ｒｅａｄ  Ｏｎｌｙ  Ｍｅｍｏｒｙ）３２と、ＲＡＭ（Ｒａｎｄｏｍ  Ａｃｃｅｓｓ  Ｍｅｍｏｒｙ）３３と、バス３４と、入出力インターフェース３５と、入力部３６と、出力部３７と、記憶部３８と、通信部３９と、ドライブ４０とを備えている。
【００２０】
ＣＰＵ３１は、ＲＯＭ３２に記録されているプログラム、又は、記憶部３８からＲＡＭ３３にロードされたプログラムに従って各種の処理を実行する。
ＲＡＭ３３には、ＣＰＵ３１が各種の処理を実行する上において必要なデータ等も適宜記憶される。
【００２１】
ＣＰＵ３１、ＲＯＭ３２及びＲＡＭ３３は、バス３４を介して相互に接続されている。このバス３４にはまた、入出力インターフェース３５も接続されている。入出力インターフェース３５には、入力部３６、出力部３７、記憶部３８、通信部３９、及びドライブ４０が接続されている。
【００２２】
入力部３６は、電源ボタン、操作ボタン等各種ボタン等で構成され、ユーザの指示操作に応じて各種情報を入力する。
出力部３７は、ディスプレイやスピーカ等で構成され、画像や音声を出力する。
記憶部３８は、ハードディスク等で構成され、各種情報のデータを記憶する。
通信部３９は、インターネットを含むネットワーク１３（図１）を介してユーザ端末１２との間で行う通信を制御する。
【００２３】
ドライブ４０には、磁気ディスク、光ディスク、光磁気ディスク、あるいは半導体メモリ等よりなる、リムーバブルメディア５１が適宜装着される。ドライブ４０によってリムーバブルメディア５１から読み出されたプログラムは、必要に応じて記憶部３８にインストールされる。また、リムーバブルメディア５１は、記憶部３８に記憶されている各種データも、記憶部３８と同様に記憶することができる。
【００２４】
図３は、図２の目標達成支援装置１１の機能的構成を示す機能ブロック図である。
目標達成支援装置１１のＣＰＵ３１（図２）においては、時間感情制御部６１と、メッセージ送信制御部６２とが機能する。
また、記憶部３８（図２）の一領域には、コンテクスト情報記憶部６３が設けられている。
【００２５】
時間感情制御部６１は、ユーザに関するコンテクスト（内的状態及び外的状態）を示す情報（以下、「コンテクスト情報」と呼ぶ）をコンテクスト情報記憶部６３から取得する。
時間感情制御部６１は、ユーザが所定の目的の達成に向けた行動を取ろうとしている又は取っている時間帯において、その行動に関する情報をユーザへ提示するに際し、コンテクスト情報に応じて提示形態を時間的に変化させることで、ユーザの感情（気分含む）を制御する。
メッセージ送信制御部６２は、時間感情制御部６１による時間制御の結果に基づいて、メッセージを、所定の送信タイミングで送信する。即ち、メッセージの内容と、送信タイミングとが、時間感情制御部６１の制御により、コンテクスト情報に応じて可変する。
これにより、ユーザの感情が適切な状態になることで、所定の目的の達成が容易かつ短時間で可能になると共に、所定の目的の達成に向けた行動中のユーザのストレスが軽減される。
【００２６】
さらに以下、時間感情制御部６１による制御について詳しく説明する。
時間感情制御部６１による制御とは、本発明人により発明された「タイムコントローラ」が適用された制御である。
以下、「タイムコントローラ」について説明する。
人がやりたいこと或いはやらなければならないことを目的としたとき、その目的の達成度にその都度差異が生じる。本発明人は、この差異を縮めるため或いは無くすために何をすべきであるのかという観点で、「タイムコントローラ」が発明された。
「タイムコントロール」とは、コンテクストと時間とのコントロール（制御）により、ユーザ（人）が目的を達成するための支援をする手段をいう。
ここで、ユーザ（人）のコンテクストとは、ユーザの内的状態と外的状態との全てを含む概念をいう。ユーザの内的状態とは、ユーザの身体や脳の働きに起因する状態、例えばユーザの、行動、体調、情動（気分や心理状態）等を指す。また、ユーザの外的状態とは、ユーザの空間的又は時間的な配置位置（時間的な配置位置とは、例えば、現在時刻を指す）の他、ユーザの周囲の空間方向もしくは時間方向又は全方向に分布する所定の状態（周囲環境の状態）も指す。ただし、「タイムコントロール」においては、時間は、コンテクストの中でも特別なものとして、コンテクストとは別の要素として取り扱うものとする。
同一目的を掲げた場合において達成できる人間と達成できない人間の差異は、人間とは感情（コンテクストの内的状態の１つ）で行動する生き物であるということに由来する、と本発明人は思想した。
従って、様々なコンテクスト（例えば外的状態の１つである環境等）において感情をコントロールすることで目的は達成できる、と本発明人は思想した。「タイムコントロール」では、コンテクストの中でも時間（外的状態の１つ）に着目し、これをコンテクストとは別の要素として位置付け、情報処理装置が、時間にあわせてコンテクスト（特に感情）をコントロール（制御）する。これにより、ユーザのパフォーマンスが最大限に引き出され、目的の達成において効果的な結果が得られることになる。
【００２７】
さらに以下、「タイムコントロール」について詳しく説明する。
先ず、多くの人が、何かを習得しようとした時に能率が上がらない理由について、本発明人は検討した。
例えば、小学生の学習を例にとると、その理由としては、親や先生から一方的に叱咤激励された結果として、小学生と親や先生との双方がストレスを覚えることであると、本発明人は思想した。即ち、小学生にとっては、うざい、うるさい、無理やりやらされているというネガティブな感情を抱き、その感情がストレスになる。また、先生や親にしても、「今勉強しないでいつするの」とか「早くしろ」といった叱咤激励を繰り返すだけでストレスであるし、さらに、小学生がそもそも言うことを聞かないということでストレスになる。
また例えば、社会人の自己啓発を例にとると、能率が上がらない理由としては、自分自身が叱咤激励することになるが、明日や来週に先延ばしにすると逆効果で負い目等のネガティブな感情を抱き、その感情がストレスになることであると、本発明人は思想した。この場合、教材提供側で、はがきやメールで一定期間の学習の進捗指導が従来行われてきたが、能率を上げる顕著な効果が出てない。
このように、何かを習得しようとした時に能率を上げるためには、能動的、及び自主的、当人がその目的に対して努力がスムーズにできることが必要であると、本発明人は思想した。
このためには、従来一般的には、自主的に自分の時間割を作ったり、自主的に自分の予定を作る等により時間管理をすることが必要であると言われている。
しかしながら、人間は状況によって感情が変化するものであるため、単に時間管理だけでは足りず、時間管理と共に感情の管理も必要である、と本発明人は思想した。
この思想の下、本発明人は、上述の「タイムコントロール」を発明した。この「タイムコントロール」を適用することで、時間割と時間管理を自ら設計し感情を最適な状態にするシステムの構築が可能になる。
このような構築により、様々な状況で感情のコントロールが自動的にできるようになり、結果として、ユーザ自ら計画が最短で達成できるようになる。また、ストレスフリーな環境が実現されるので、ユーザ本人及び周りの人との関係が良好になる。 
【００２８】
図４は、図３の機能的構成を有する目標達成支援装置１１が実行する、「タイムコントロール」の処理の概要を説明する図である。
図４に示すような所定のユーザのコンテクスト情報は、当該ユーザにより所持されるユーザ端末１２から供給され、コンテクスト情報記憶部６３に記憶される（図３）。ここで、コンテクストは時間に応じて変化していくものなので、周期的であるか非周期的であるかは問わないが、コンテクスト情報は複数回ユーザ端末１２から送信されてくるものとする。換言すると、コンテクスト情報記憶部６３に記憶されるコンテクスト情報は適宜更新されるものとする。
【００２９】
ここで、図３において、時間感情制御部６１においては、コンテクスト取得部７１と、感情予測部７２と、送信タイミング設定部７３と、メッセージ作成部７４とが機能する。
【００３０】
コンテクスト取得部７１は、上述の図４に示すようなコンテクスト情報をコンテクスト情報記憶部６３から取得する。
【００３１】
感情予測部７２は、コンテクスト取得部７１により取得されたコンテクスト情報に基づいて、ユーザが所定の目的の達成に向けた行動を取ろうとしている又は取っている時間帯における、ユーザの感情（気分）の時間的な変化を予測する。
【００３２】
送信タイミング設定部７３は、感情予測部７２の予測の結果に基づいて、行動に関する情報を、ユーザ端末１２に対して送信するタイミングを可変設定することで、コンテクスト情報に応じた提示形態の時間的な変化を実現させる。
これにより、ユーザの感情の時間的変化の予測結果に基づく適切なタイミングで、行動に関する情報（メッセージ）をユーザに送信することができるので、ユーザは、適切な感情を維持したまま、行動することができる。
ここで、送信タイミング設定部７３は、行動に関する情報についての送信回数及び送信間隔のうち少なくとも一方を設定することができる。例えば図４の例では、送信タイミングとして、前日、当日朝、１時間前、スタート、及び終了後のうちすくなくとも１つが設定される。
これにより、ユーザが適切な感情を維持したまま行動するという観点で効果的な頻度で、行動に関する情報（メッセージ）をユーザに送信することができる。 
【００３３】
メッセージ作成部７４は、行動に関する情報として、感情予測部７２の予測の結果に応じて内容が変化するメッセージを生成する。
これにより、ユーザの感情の時間的変化の予測結果に基づく適切な内容で、行動に関する情報（メッセージ）をユーザに送信することができるので、ユーザは、適切な感情を維持したまま、行動することがより一段とできる。
ここで、図４の例では、コンテクスト取得部７１においては、ユーザがユーザ端末１２に入力したユーザ自身の性格及び感情のうち少なくとも一方が、コンテクスト情報の一部として取得される。 
これにより、ユーザが自覚している性格や感情に応じて、行動に関する情報（メッセージ）の提携形態が変化するので、ユーザは、適切な感情を維持したまま、行動することがより一段とできるようになる。
【００３４】
図５は、「タイムコントロール」の効果の概要を説明する図である。
図５において、縦軸は感情の度合を示しており、一点鎖線のレベルが理想的な感情の状態であり、この一点鎖線から上又は下に向かう程理想的な感情から離れていく（感情が悪化していく）ものとする。横軸は時間軸を示している。
例えば、感情予測部７２が、ユーザＡについては、「タイムコントロール」による感情の制御がなされないと、図５に示す実線のようになると予測したものとする。この場合、送信タイミング設定部７３により設定される送信タイミングや、メッセージ作成部７４により生成されるメッセージの内容（以下、これらをまとめて「メッセージ送信条件」と呼ぶ）が変化されることで、即ちユーザ端末１２における提示形態が時間的に変化されることで、点線のように理想的な感情を維持できるように制御される。
なお、コンテクストが異なるユーザＢについては、ユーザＡとは制御が異なる。また、同一ユーザであっても、コンテクストが異なれば制御が異なる。
【００３５】
さらに以下、図６以降の図面を参照して、「タイムコントロール」の具体例について幾つか説明する。
【００３６】
図６は、小学生の自宅学習に対して「タイムコントロール」がなされた結果の一例を示している。
図６の例では、受験生の小学生甲がユーザであり、全国模試が来週に迫っているため、今日は苦手な数学の見直しをする予定であるという状況とされている。そして、甲は、学校で友人と口げんかをしたため、イライラして落ち着かない、といったネガティブな感情を抱いているものとされている。具体的には、甲は、元々あきっぽい性格であり、今日は難しい数学の問題に取組む気分ではないと感じているものとされている。
【００３７】
本例では、甲が、自身のユーザ端末１２を操作して、コンテクスト情報として、日時、性格、感情、目的等を予め入力するものとする。すると、「きっかけ」及び「日時」の項目（送信タイミングの項目）に示されるように、コンテクスト情報に適した時間管理がなされ（各イベントが自動入力され）、かつ、「メッセージ」の項目に示されるように、コンテクスト情報に適した内容のメッセージが自動的にユーザに届けられる。
【００３８】
図７は、ユーザがコンテクスト情報を入力するための、ユーザ端末１２の画面の一例を示している。
図７の例では、コンテクスト情報として、内的状態と外的状態がユーザによって入力される。
図８は、内的状態を入力するための画面の一例を示している。ユーザは、自身に適している内的状態を１以上チェックする操作をすることで、チェックされた内的状態がユーザ端末１２に入力される。なお、図８おいてチェックされた内的状態を用いた「タイムコントロール」の結果が、上述の図６に示されているものである。
図９は、外的状態として選択可能な項目を示している。即ち、この例では、ユーザは、図９の表の中から、自身の立場（例えば小学生以下）を選択し、選択された立場に対応付けられた外的状態の類型の中から１以上を選択する操作をすることで、選択された外的状態がユーザ端末１２に入力される。
図１０は、図９の外的状態の一部についての、さらに細分化された外的状態として選択可能な項目を示している。
【００３９】
このようにしてユーザ端末１２において入力されたコンテクスト情報は、目標達成支援装置１１に送信される。
時間感情制御部６１は、当該コンテクスト情報を取得すると、「タイムコントロール」の処理、即ち当該コンテクスト情報に応じて提示形態を時間的に変化させる制御を実行することで、ユーザの感情（気分含む）を制御する。
図１１は、「タイムコントロール」により決定される、メッセージの方針及び送信タイミングの具体例を示している。
図１１（Ａ）乃至（Ｄ）の夫々に示されるように、内的状態及び外的状態が異なれば、メッセージの方針や送信タイミングが異なるように「タイムコントロール」がなされていることがわかる。
なお、この「タイムコントロール」は、リアルタイムに行われてもよいし、図１２に示すように、送信タイミングのタイムスケジュールだけ予め設定されていてもよい。
【００４０】
図１３は、内的状態を入力するための画面の一例であって、図８とは異なる例を示している。
図１３の例では、受験生の小学生乙がユーザであり、全国模試が来週に迫っているため、今日は苦手な数学の見直しをする予定であるという状況とされている。即ち、ここまでは図８及び図６を用いて上述した例とは同様である。ただし、図１３の例では、乙は、もともと集中力があり、最近体調もよいし、気持ちも充実しており、ポジティブな感情を抱いているものとされている。具体的には、甲は、元々集中力あり、今日は難しい数学の問題に取組む気分であると感じているものとされている。
図１４は、小学生の自宅学習に対して「タイムコントロール」がなされた結果の一例であって、図１３おいてチェックされた内的状態を用いた「タイムコントロール」の結果を示している。
図６と図１３とを比較すれば明らかであるが、入力されたコンテクスト情報が異なれば、「タイムコントロール」の結果、送信タイミングやメッセージの内容が異なることになる。
【００４１】
なお、本発明は、上述の実施形態に限定されるものではなく、本発明の目的を達成できる範囲での変形、改良等は本発明に含まれるものである。
【００４２】
上述の実施形態では、コンテクスト情報は、ユーザ端末１２に対するユーザの手動入力で取得されたが、取得の手法は特にこれに限定されない。
例えば、ユーザ端末１２に内蔵又は外部に設けられる各種センサにより、１以上のコンテクスト（要素）を取得するようにしてもよい。
また例えば、ユーザは、所定の目的の達成に向けた行動を取ろうとしている又は取っている時間帯に、ツイッターやブログ等を利用して文章を書き込む操作をする。この場合、コンテクスト取得部７１（図３）は、書き込まれた内容又はその内容に基づく情報から、ユーザのコンテクスト情報を抽出して取得するようにしてもよい。
【００４３】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が目標達成支援装置１１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【００４４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００４５】
このようなプログラムを含む記録媒体は、ユーザにプログラムを提供するために装置本体とは別に配布される図２のリムーバブルメディア５１により構成されるだけでなく、装置本体に予め組み込まれた状態でユーザに提供される記録媒体等で構成される。リムーバブルメディア５１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ３２や、図２の記憶部３８に含まれるハードディスク等で構成される。
【００４６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００４７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【符号の説明】
【００４８】
１１・・・目標達成支援装置、１２−１乃至１２−Ｎ、１２・・・ユーザ端末、３１・・・ＣＰＵ、３２・・・ＲＯＭ、３３・・・ＲＡＭ、３８・・・記憶部、３９・・・通信部、５１・・・リムーバブルメディア、６１・・・時間感情制御部、６２・・・メッセージ送信制御部、６３・・・コンテクスト情報記憶部、７１・・・コンテクスト取得部、７２・・・感情予測部、７３・・・送信タイミング設定部、７４・・・メッセージ作成部
【図１】
2015005207.tif 000003
【図２】
2015005207.tif 000004
【図３】
2015005207.tif 000005
【図４】
2015005207.tif 000006
【図５】
2015005207.tif 000007
【図６】
2015005207.tif 000008
【図７】
2015005207.tif 000009
【図８】
2015005207.tif 000010
【図９】
2015005207.tif 000011
【図１０】
2015005207.tif 000012
【図１１】
2015005207.tif 000013
【図１２】
2015005207.tif 000014
【図１３】
2015005207.tif 000015
【図１４】
2015005207.tif 000016